(57)【特許請求の範囲】
【請求項１】
縦孔状のスロット孔配列を開孔したシャドウマスク型のカラーブラウン管を用いた画像表示装置において、画面上にテストパターンを映し出し、前記テストパターンを画面水平方向に複数の前記スロット孔配列、画面垂直方向に複数の走査線が撮像可能な範囲をもってカメラで取り込み、それぞれの前記スロット孔配列における画面垂直方向の前記走査線の輝度プロファイルを測定し、それぞれの前記輝度プロファイルを前記走査線平行方向に投影し重ね合わせて、投影輝度プロファイルを作成し、前記投影輝度プロファイルのそれぞれの前記走査線の重心を求め、前記重心間を測定することで前記走査線の間隔を求めることを特徴とする画像評価方法。
【請求項２】
縦孔状のスロット孔配列を開孔したシャドウマスク型のカラーブラウン管を用いた画像表示装置において、画面上にテストパターンを映し出し、前記テストパターンを画面水平方向に複数の前記スロット孔配列、画面垂直方向に複数の走査線が撮像可能な範囲をもって撮像する撮像手段と、上記撮像範囲における画面垂直方向の前記走査線の輝度プロファイルを算出する算出手段と、算出された前記輝度プロファイルを前記走査線平行方向に投影し重ね合わせて、投影輝度プロファイルを作成し、前記投影輝度プロファイルのそれぞれの前記走査線の重心を求め、前記重心間を測定することで前記走査線の間隔を求める処理手段とを備えたことを特徴とする画像評価装置。
【発明の詳細な説明】
【０００１】
【発明の属する技術分野】
本発明は、シャドウマスク型のカラーブラウン管を用いた画像表示装置の画像評価方法及びそれを用いた画像評価装置に関するものである。
【０００２】
【従来の技術】
カラーブラウン管を用いた画像表示装置の画像評価に関しては一般的には目視で行われており、今までの画像表示装置においては、特に走査線の間隔を定量的に評価し、測定する必要性はなかった。ただ、カラーブラウン管の電子ビームの形状などを定量的に評価する方法としては特開平８−２０３４３６号公報に示されているように、特定の複数個の蛍光体に対する電子ビームの照射位置を上下左右に微小変位させて各照射位置での複数個の発光蛍光体を撮像し、各照射位置における電子ビーム内の複数個の蛍光体の相対的な発光位置と発光輝度とを用いて電子ビームの形状を演算する電子ビーム形状測定装置などがある。
【０００３】
【発明が解決しようとする課題】
上記のように、目視評価は、画像を実際に人の目で評価するので定性的な評価としては良いが、評価者によるバラツキが発生したり、データとして残らず客観的な評価が困難である。
【０００４】
また、走査線間隔を測定する時、アパーチャーグリルと呼ばれるシャドウマスクのカラーブラウン管を用いた画像表示装置の場合は、スリット孔に沿って画面垂直方向の走査線の輝度プロファイルを算出し、それを用いて走査線間隔を測定できるが、縦孔状のスロット孔配列を開孔したシャドウマスク型のカラーブラウン管を用いた画像表示装置では、画面垂直方向の走査線の輝度プロファイルは、画像の取り込み時にシャドウマスクによって電子ビームがさえぎられるため、輝度プロファイルに欠落が生じ、これを補うためには特殊な回路や装置が必要であった。
【０００５】
本発明は、上記課題を解決するためになされたものであり、縦孔状のスロット孔配列を開孔したシャドウマスク型のカラーブラウン管を用いた画像表示装置において、走査線の間隔を定量的に正確かつ容易に測定することができる画像評価方法及びそれを用いた画像評価装置を提供することを目的とする。
【０００６】
【課題を解決するための手段】
前記課題を解決するために、本発明は縦孔状のスロット孔配列を開孔したシャドウマスク型のカラーブラウン管を用いた画像表示装置を対象とする画像評価方法であり、画面上にテストパターンを映し出し、前記テストパターンを画面水平方向に複数の前記スロット孔配列、画面垂直方向に複数の走査線が撮像可能な範囲をもってカメラで取り込み、それぞれの前記スロット孔配列における画面垂直方向の前記走査線の輝度プロファイルを測定し、それぞれの前記輝度プロファイルを前記走査線平行方向に投影し重ね合わせて、投影輝度プロファイルを作成し、前記投影輝度プロファイルのそれぞれの前記走査線の重心を求め、前記重心間を測定することで前記走査線の間隔を求めることを特徴とするものである。
【０００７】
また、本願発明の画像評価装置は、画面上にテストパターンを映し出し、前記テストパターンを画面水平方向に複数の前記スロット孔配列、画面垂直方向に複数の走査線が撮像可能な範囲をもって撮像する撮像手段と、上記撮像範囲における画面垂直方向の前記走査線の輝度プロファイルを算出する算出手段と、算出された前記輝度プロファイルを前記走査線平行方向に投影し重ね合わせて、投影輝度プロファイルを作成し、前記投影輝度プロファイルのそれぞれの前記走査線の重心を求め、前記重心間を測定することで前記走査線の間隔を求める処理手段とを備えたことを特徴とするものである。
【０００８】
本発明によれば、縦孔状のスロット孔配列を開孔したシャドウマスク型のカラーブラウン管を用いた画像表示装置において、走査線の間隔を定量的に正確かつ容易に測定することができる画像評価方法及びそれを用いた画像評価装置を提供することができる。
【０００９】
【発明の実施の形態】
本発明の請求項１記載の発明は、縦孔状のスロット孔配列を開孔したシャドウマスク型のカラーブラウン管を用いた画像表示装置において、画面上にテストパターンを映し出し、前記テストパターンを画面水平方向に複数の前記スロット孔配列、画面垂直方向に複数の走査線が撮像可能な範囲をもってカメラで取り込み、それぞれの前記スロット孔配列における画面垂直方向の前記走査線の輝度プロファイルを測定し、それぞれの前記輝度プロファイルを前記走査線平行方向に投影し重ね合わせて、投影輝度プロファイルを作成し、前記投影輝度プロファイルのそれぞれの前記走査線の重心を求め、前記重心間を測定することで前記走査線の間隔を求めることを特徴とする画像評価方法としたもので、走査線の間隔を定量的に正確かつ容易に測定することができる画像評価方法を提供することができる。
【００１０】
本発明の請求項２記載の発明は、縦孔状のスロット孔配列を開孔したシャドウマスク型のカラーブラウン管を用いた画像表示装置において、画面上にテストパターンを映し出し、前記テストパターンを画面水平方向に複数の前記スロット孔配列、画面垂直方向に複数の走査線が撮像可能な範囲をもって撮像する撮像手段と、上記撮像範囲における画面垂直方向の前記走査線の輝度プロファイルを算出する算出手段と、算出された前記輝度プロファイルを前記走査線平行方向に投影し重ね合わせて、投影輝度プロファイルを作成し、前記投影輝度プロファイルのそれぞれの前記走査線の重心を求め、前記重心間を測定することで前記走査線の間隔を求める処理手段とを備えたことを特徴とする画像評価装置としたもので、走査線の間隔を定量的に正確かつ容易に測定することができる画像評価装置を提供することができる。
【００１１】
以下、本発明の実施の形態における画像評価方法及びそれを用いた画像評価装置について、図１〜図３を用いて説明する。
【００１２】
（実施の形態１）
図１は、本発明の実施の形態１における画像表示装置のシャドウマスク３のスロット孔２の配列部の部分拡大図であり、ラスタ走査を行い、走査線１が判別可能なレベルに輝度を調整した上で、テストパターンが映し出されている。
【００１３】
図２は、走査線１間隔の測定原理を説明するための説明図で、４は図１でのＡ−Ａ’ライン上の走査線１の輝度プロファイル、６は図１でのＢ−Ｂ’ライン上の走査線１の輝度プロファイル、８は輝度プロファイル４と輝度プロファイル６を走査線平行方向（図１の矢印方向）に投影し重ね合わせた投影輝度プロファイルである。
【００１４】
実際に観測されるＡ−Ａ’ライン上およびＢ−Ｂ’ライン上の走査線１の輝度プロファイル４および輝度プロファイル６は、シャドウマスク３のスロット孔２が開孔されている部分（図１の斜線部）しか光っていないため部分的に欠落部５および欠落部（ｂ）７が発生する。そして、走査線１の間隔を測定するには、走査線１の輝度プロファイル４もしくは輝度プロファイル６の重心を求める必要があるが、欠落部５および欠落部７が発生するため正確な重心が求められない。そのため、輝度プロファイル４と輝度プロファイル６を走査線平行方向（図１の矢印方向）に投影して重ね合わせて投影輝度プロファイル８を作成する。すなわち、投影輝度プロファイル８は、Ａ−Ａ’ラインもしくはＢ−Ｂ’ラインの輝度レベルの最大値をプロットしたことになる。
【００１５】
投影輝度プロファイル８より、複数の走査線１の重心を求め、重心間を測定することで走査線間隔９を求めることができる。
【００１６】
（実施の形態２）
図３は、本発明の実施の形態２における画像評価装置の構成図である。画像表示装置１０は、ラスタ走査を行い、走査線１が判別可能なレベルに輝度を調整した上で、テストパターンが映し出されている。このテストパターンを光学系により、画面水平方向（図２の矢印X方向）に複数のスロット孔２配列、画面垂直方向（図３の矢印Y方向）に複数の走査線１が撮像可能な範囲に拡大し、カメラ１１で撮像する（撮像手段）。カメラ１１で撮像されたテストパターンは画像入力部１２に取り込まれ、画面垂直方向の走査線１の輝度プロファイル（a）４と輝度プロファイル（ｂ）６を算出し（算出手段）、これらを処理部１３で走査線１平行方向に投影し重ね合わせた投影輝度プロファイル（ｃ）８を作成し、複数の走査線１の投影輝度プロファイル（ｃ）８の重心を求め、重心間を測定する（処理手段）ことで走査線間隔９を算出する。
【００１７】
【発明の効果】
以上のように、本発明の第１の形態によれば、シャドウマスクによりさえぎられた走査線の複数の輝度プロファイルを走査線平行方向に投影し重ね合わせて、投影輝度プロファイルを作成し、複数の走査線の投影輝度プロファイルの重心を求め、重心間を測定することで走査線間隔を求めることができるので、特殊な回路や装置を使用せずに走査線の間隔を定量的に正確かつ容易に測定することができる画像評価方法を提供することができる。
【００１８】
また、本発明の第２の形態によれば、画面水平方向に複数のスロット孔配列、画面垂直方向に複数の走査線が撮像可能な範囲をもって撮像する撮像手段と、上記撮像範囲における画面垂直方向の走査線の輝度プロファイルを算出する算出手段と、算出された輝度プロファイルを走査線平行方向に投影し重ね合わせて、投影輝度プロファイルを作成し、投影輝度プロファイルのそれぞれの走査線の重心を求め、重心間を測定することで走査線の間隔を求める処理手段とを備えているので、特殊な回路や装置を使用せずに走査線の間隔を定量的に正確かつ容易に測定することができる画像評価装置を提供することができる。
【図面の簡単な説明】
【図１】本発明の実施の形態１におけるシャドウマスクのスロット孔配列部拡大図
【図２】本発明の実施の形態１における走査線間隔の測定原理を説明するための説明図
【図３】本発明の実施の形態２における画像評価装置の構成図
【符号の説明】
１    走査線
２    スロット孔
３    シャドウマスク
4、６、８    輝度プロファイル
５、７    欠落部
９    走査線間隔
１０  画像表示装置
１１  カメラ
１２  画像入力部
１３  処理部
【図１】
0003719101.tif 000002
【図２】
0003719101.tif 000003
【図３】
0003719101.tif 000004